(57)【要約】【課題】汚れた搬送物をキャビン内に入れずに搬送できる収納カゴをトラクターに設けることができ、更に、このトラクターが後方に農耕用作業機を取付け、バランス調整用のウエイトが必要なときには、この収納カゴに重量物を必要量収納するだけでバランス調整用のウエイトの代わりにすることもできる画期的なトラクター用収納カゴを提供すること。【解決手段】農作業用のトラクターの前方に突出状態に設けるトラクター用収納カゴであって、前記トラクターの前バンパー部の前バンパー取付け部にこの前バンパー部を取外して着脱自在に取付ける収納カゴ取付け部に、上方開口型で搬送物を収納可能で且つ横長物を前後係止状態で左右上端部間に架設載置可能な収納カゴ部を設けたトラクター用収納カゴ。【選択図】図１
2010280299.tif 000002
【特許請求の範囲】
【請求項１】
農作業用のトラクターの前方に突出状態に設けるトラクター用収納カゴであって、前記トラクターの前バンパー部の前バンパー取付け部にこの前バンパー部を取外して着脱自在に取付ける収納カゴ取付け部に、上方開口型で搬送物を収納可能で且つ横長物を前後係止状態で左右上端部間に架設載置可能な収納カゴ部を設けたことを特徴とするトラクター用収納カゴ。
【請求項２】
前記収納カゴ取付け部に収納カゴ連結部を突設し、この収納カゴ連結部に前記収納カゴ部を着脱自在に設け、この収納カゴ部を外した際前記収納カゴ連結部を退避可動収納自在に前記収納カゴ取付け部に設けたことを特徴とする請求項１記載のトラクター用収納カゴ。
【請求項３】
前記収納カゴ取付け部に前記収納カゴ部を支持する支持腕を前記収納カゴ連結部として突設し、この収納カゴ連結部を基端部を支点に上方若しくは下方に退避回動収納自在に構成したことを特徴する請求項２記載のトラクター用収納カゴ。
【請求項４】
前記収納カゴ部を、バランスウエイトとして搬送する土嚢袋を複数積み上げ収納できる大きさに設定したことを特徴とする請求項１〜３のいずれか１項に記載のトラクター用収納カゴ。
【請求項５】
前記収納カゴ部の前後上端部の高さより、前記左右上端部の左右架設杆の高さを低く設定して、前記横長物を前後係止状態で前記左右上端部の左右架設杆間に架設載置可能に前記収納カゴ部を構成したことを特徴とする請求項１〜４のいずれか１項に記載のトラクター用収納カゴ。
【請求項６】
前記収納カゴ部に収納する若しくは載置する前記搬送物を架け止めるロープやゴムバンドを係止する係止フック部を設けたことを特徴とする請求項１〜５のいずれか１項に記載のトラクター用収納カゴ。
【請求項７】
請求項１〜６のいずれか１項に記載のトラクター用収納カゴを設けた農作業用のトラクター。
【発明の詳細な説明】
【技術分野】
【０００１】
本発明は、農作業用のトラクターに取付ける収納カゴ並びに収納カゴを設けた農作業用のトラクターに関するものである。
【背景技術】
【０００２】
農作業用のトラクターを用いて農作業を行う場合、例えばスコップなどの作業用具も積んで田んぼや畑に行き、農作業終了後に再び持ち帰る場合もある。
【０００３】
しかし、農作業後は、この作業用具や作業者の履いた長靴などが土や泥で汚れているので、この汚れたものをトラクターの運転席の脇にそのまま載せると運転席が汚れてしまう。
【０００４】
そのため、汚れを気にする人は、十分に汚れを落としてから運転席脇に載せるか、この汚れたものを紐などで運転席外の適当な突起部に吊るして搬送するか、或いは、汚れたものをそのまま運転席脇に置き、運び終えた後で、汚れた運転席周りを清掃し、きれいにする必要があるが、この作業は非常に手間が掛かる作業であった。
【０００５】
また、最近は、屋根とフロントウインドウ部だけでなく、サイドにも透明ドアを設けたキャビンタイプのトラクターが主流となってきており、このようなタイプのものは運転席内をより一層汚したくないという気持ちになる。
【０００６】
しかし、このキャビンタイプのトラクターは、適当な突起部が殆ど無く、汚れたものを吊るし搬送することができないため、搬送物をキャビン内に入れて搬送するしか手が無く、そのため、キャビン内に入れる前に十分にきれいな状態にするか、または、運び終わった後にキャビン内をきれいにするかの、いずれにしても手間の掛かる作業が必要であった。
【０００７】
一方、トラクターは、後方に農耕用作業機を取付けて使用することが多いが、農耕用作業機を取付けると、後方に重心が移動してしまうため、走行路面の状態（例えば、田んぼや畑の土の状態）によっては、トラクター前輪部が浮き気味になることがあり、これが原因で走行性が不安定になったり、作業に支障を来たすことがある。
【０００８】
その対策として、従来からトラクターの前バンパー取付け部に、前バンパー部を取外して代わりに取付けできるバランス調整用のウエイトが市販されているが、このバランス調整用のウエイトは、非常に重く、一人で搬送や取付け作業を行うことは非常に厄介で、しかも、高額であった。
【発明の概要】
【発明が解決しようとする課題】
【０００９】
そこで、本発明は、このような従来のトラクターの問題点を鑑み、これら２つの問題を同時に解決しようとするもので、汚れた搬送物を運転席の周囲やキャビン内に汚さずに搬送できる収納カゴ部をトラクターに設けることができ、また、キャビン内に入れることができない横長物も前後係止状態で搬送可能となり、しかも、既存のバンパー取付け部を利用して取付けることができるので、トラクターの機種に対応した取付け部とするだけで様々なトラクターに対して簡単に取付けでき、更に、このトラクターが後方に農耕用作業機を取付け、バランス調整用のウエイトが必要なときには、この収納カゴ部にウエイトとなるものを必要量収納するだけでバランス調整用のウエイトの代わりにすることもでき、そのため一々重いバランス調整用のウエイトを取付け直したりせず、この収納カゴ部を利用して必要な量だけ順次ウエイトとなるものを収納するだけで良い画期的なトラクター用収納カゴを提供することを目的としている。
【課題を解決するための手段】
【００１０】
添付図面を参照して本発明の要旨を説明する。
【００１１】
農作業用のトラクター１の前方に突出状態に設けるトラクター用収納カゴであって、前記トラクター１の前バンパー部２の前バンパー取付け部３にこの前バンパー部２を取外して着脱自在に取付ける収納カゴ取付け部４に、上方開口型で搬送物５を収納可能で且つ横長物６を前後係止状態で左右上端部７間に架設載置可能な収納カゴ部８を設けたことを特徴とするトラクター用収納カゴに係るものである。
【００１２】
また、前記収納カゴ取付け部４に収納カゴ連結部９を突設し、この収納カゴ連結部９に前記収納カゴ部８を着脱自在に設け、この収納カゴ部８を外した際前記収納カゴ連結部９を退避可動収納自在に前記収納カゴ取付け部４に設けたことを特徴とする請求項１記載のトラクター用収納カゴに係るものである。
【００１３】
また、前記収納カゴ取付け部４に前記収納カゴ部８を支持する支持腕を前記収納カゴ連結部９として突設し、この収納カゴ連結部９を基端部10を支点に上方若しくは下方に退避回動収納自在に構成したことを特徴する請求項２記載のトラクター用収納カゴに係るものである。
【００１４】
また、前記収納カゴ部８を、バランスウエイトとして搬送する土嚢袋11を複数積み上げ収納できる大きさに設定したことを特徴とする請求項１〜３のいずれか１項に記載のトラクター用収納カゴに係るものである。
【００１５】
また、前記収納カゴ部８の前後上端部12の高さより、前記左右上端部７の左右架設杆の高さを低く設定して、前記横長物６を前後係止状態で前記左右上端部７の左右架設杆間に架設載置可能に前記収納カゴ部８を構成したことを特徴とする請求項１〜４のいずれか１項に記載のトラクター用収納カゴに係るものである。
【００１６】
また、前記収納カゴ部８に収納する若しくは載置する前記搬送物５を架け止めるロープやゴムバンドを係止する係止フック部13を設けたことを特徴とする請求項１〜５のいずれか１項に記載のトラクター用収納カゴに係るものである。
【００１７】
また、請求項１〜６のいずれか１項に記載のトラクター用収納カゴを設けた農作業用のトラクターに係るものである。
【発明の効果】
【００１８】
本発明は上述のように構成したから、汚れた搬送物を運転席の周囲やキャビン内に汚さずに搬送できる収納カゴ部をトラクターに設けることができ、また、キャビン内に入れることができない横長物も前後係止状態で搬送可能となり、しかも、既存のバンパー取付け部を利用して取付けることができるので、トラクターの機種に対応した取付け部とするだけで様々なトラクターに対して簡単に取付けでき、更に、このトラクターが後方に農耕用作業機を取付け、バランス調整用のウエイトが必要なときには、この収納カゴ部にウエイトとなるものを必要量収納するだけでバランス調整用のウエイトの代わりにすることもでき、そのため一々重い調整用のウエイトを取付け直したりせず、この収納カゴ部を利用して必要な量だけ順次ウエイトとなるものを収納するだけで良い画期的なトラクター用収納カゴとなる。
【００１９】
即ち、本発明は、作業具や長靴を汚れたままの状態で収納カゴに収納し搬送することができ、運転席やキャビン内を汚さずに済むので、常に運転席を綺麗な状態に保つことができ、快適に作業を行うことができ、また、この収納カゴ部は上方開口型となっているので、搬送物を入れ易く、またトラクターでは搬送が困難であった長さを有するはしごやアユミ板なども容易にして前後係止状態に搬送できる。
【００２０】
また、この収納カゴ部に土嚢袋や水の入ったポリタンク等の重量物を積載するだけで、バランス調整用のウエイトの代わりとなり得るので、高価で取付けが厄介な市販のバランス調整用のウエイトを購入しなくても済み、またこれを取付けなくても必要量だけ重量物を載せるだけで良いから一人でもウエイトを設けることができる。
【００２１】
また、請求項２，３記載の発明においては、収納カゴ部が不要なときには、収納カゴ部を取外して収納カゴ連結部を退避可動収納できるため、不要時や再使用時にその都度取付け作業をしなくて良く比較的簡単な収納カゴ部連結部への着脱で良く、一層実用性に優れたトラクター用収納カゴとなる。
【００２２】
また、特に請求項３記載の発明においては、より簡易な構成で収納カゴ部のみを着脱でき、収納カゴ取付け部はそのままにしてこの収納カゴ部を着脱する収納カゴ部連結部を簡単に退避回動でき更に優れた画期的なトラクター用収納カゴとなる。
【００２３】
また、請求項４記載の発明においては、土嚢袋を収納カゴ部に順次積み上げ収納するだけでバランス調整用のウエイト代わりとなり、この収納カゴ部を利用して一人でもバランスウエイトを設けることもできる一層優れた画期的なトラクター用収納カゴとなる。
【００２４】
また、請求項５記載の発明においては、収納カゴ部の両側部の架設杆の高さを低くするだけで、収納困難な長さを有するはしごやアユミ板などの横長物を前後係止状態に架設載置し搬送できる画期的なトラクター用収納カゴとなる。
【００２５】
また、請求項６記載の発明においては、収納カゴ部の上端部よりも上方に積み上げた搬送物や収納カゴ部の左右架設杆間に架設載置した搬送物を容易にロープやゴムバンドで架け止めできる一層実用性に優れた画期的なトラクター用収納カゴとなる。
【００２６】
また、請求項７記載の発明においては、前記作用・効果を発揮する画期的な収納カゴを設けたトラクターとなる。
【図面の簡単な説明】
【００２７】
【図１】本実施例の使用状態での説明図である。
【図２】本実施例説明分解斜視図である。
【図３】本実施例の前バンパー部を取外した装置のバンパー取付け部を示す説明斜視図である。
【図４】本実施例の収納カゴ取付け部の前バンパー連結部とバンパー取付け部との取付けを示す説明斜視図である。
【図５】本実施例の収納カゴ取付け部の前バンパー連結部と収納カゴ取付け基体との取付けを示す説明斜視図である。
【図６】本実施例の使用状態での説明側面図である。
【図７】本実施例の収納カゴ部を取外した不使用時の説明側切断面図である。
【図８】本実施例の土嚢袋を組み上げ収納してウエイト代わりとした使用状態の説明斜視図である。
【図９】本実施例の横長物を載置した使用例を示す説明斜視図である。
【図１０】本実施例の土嚢袋の上に搬送物を更に載せてロープ掛けした使用例を示す説明斜視図である。
【図１１】本実施例のビニール容体を収納し、これに汚れたものを収納した使用例を示す説明斜視図である。
【発明を実施するための形態】
【００２８】
好適と考える本発明の実施形態（発明をどのように実施するか）を、図面に基づいて本発明の作用を示して簡単に説明する。
【００２９】
トラクター１の前バンパー部２を取外し、この前バンパー部２が取付けられていた前バンパー取付け部３に収納カゴ取付け部４を取付けると、この収納カゴ取付け部４に設けた収納カゴ部８がトラクター１の前方に突出状態に設けられる。
【００３０】
従って、本発明のトラクター用収納カゴは、トラクター１の前バンパー部２の前バンパー取付け部３を利用して、トラクター１に対し無加工で容易に取付けでき、この収納カゴ部８に様々な搬送物５を収納してトラクター１で搬送可能になる。
【００３１】
そのため、例えば、汚れた長靴や作業用具などの搬送物５は、運転席にではなく、トラクター１の前方に突出するこの収納カゴ部８に汚れたまま収納することができ、一々汚れを落としたり、運転席を汚したりしないで済む。
【００３２】
更に、収納カゴ部８は、土や泥が底に溜まらずに地面に落下するので、汚れた搬送物５を収納しても清掃が殆ど不要となる。
【００３３】
また、はしごやアユミ板のような長さがあり、トラクター１の運転席内に収納できない横長物６は、例えば、軽トラックなどで個別に搬送する必要があったが、本発明の収納カゴ部８は、このような横長物６も前後係止状態で左右上端部７間に架設載置して安全に搬送することができる。
【００３４】
また、収納カゴ部８に重量のあるものを収納することで、トラクター１の重心が前方に移動することになりバランス調整用のウエイトの代わりとなるので、高価なバランス搬送用ウエイトを購入しなくても、これを一々取付けなくても、重量物を載せるだけで良い。
【００３５】
即ち、農耕用作業機を用いた農作業の際に土嚢袋や水を入れたポリタンクなどの重量物を用意しておけば、市販の高価なバランス調整用のウエイトは不要となり、しかも土嚢袋やポリタンクの収納数を増減すれば、バランス調整も容易に可能であるので、市販のバランス調整用のウエイトよりも適正なバランス調整ができ、その上、土嚢袋やポリタンクなどの一人でも持ち運びが可能な重量物をウエイト代わりにできるため、この重量物を用いたバランス調整作業を一人で行うことも可能となる。
【実施例】
【００３６】
本発明の具体的な実施例について図面に基づいて説明する。
【００３７】
本実施例は、トラクター１の前方に設けられている前バンパー取付け部３を利用して、この前バンパー取付け部３の前方に突出状態に設けるトラクター用収納カゴであって、トラクター１の前バンパー部２が取付けられている前バンパー取付け部３に、この前バンパー部２を取外して取付ける収納カゴ取付け部４に収納カゴ部８を設けた構成としている。
【００３８】
尚、本実施例は、重量物積載時の負荷による破損を防ぐ強度を持たせるため、本実施例に係る構成各部の略全てを金属で形成している。
【００３９】
具体的には、収納カゴ取付け部４は、前バンパー取付け部３との連結部となる前バンパー連結部14とこの収納カゴ取付け部４の本体となる収納カゴ取付け基体22とで構成している。
【００４０】
更に詳しく説明すると、前バンパー連結部14は、左右対称となる第一前バンパー連結部15と第二前バンパー連結部16の二体で構成し、この第一前バンパー連結部15及び第二前バンパー連結部16は、上下方向に長さを有する長方形型の金属板材の上方部及び下方部に横方向に長さを有するボルト貫通孔17を左右方向に複数並設状態（図面では上下夫々に２箇所）に形成した収納カゴ側連結部18の一側板面に、平面視Ｌ字形状の金属板材で成る前バンパー側連結部20を略直角に突設し、この前バンパー側連結部20の突出先端側の短手板部にボルト貫通孔19を上下方向に複数並設状態に形成している（図面では４箇所）。
【００４１】
このボルト貫通孔19は、いくつか（図面では３箇所）を上下方向に長さを有する長孔に形成して、トラクター１の車種によって異なる前バンパー取付け部３側の螺子孔に対応して前バンパー部取付けボルト21を貫通し取付けし得るように構成している。
【００４２】
また、大抵のトラクター１の前バンパー取付け部３は、前バンパー部２を取付けるための螺子孔以外に左右の上下部にバランス調整用のウエイトを取付けるための螺子孔が設けられており、本実施例では、このバランス調整用のウエイトを取付ける螺子孔を利用して前バンパー取付け部３に前バンパー連結部14を取付けている。
【００４３】
また、収納カゴ取付け基体22は、正面視かまぼこ形状のフレームで形成し、一側面に前バンパー連結部14と接合する基体側接合部23を設け、また、収納カゴ取付け基体22の底面の左右両端部に後述する収納カゴ連結部９を突設するための収納カゴ連結部支持部24を他側面側に突出状態となるように設けている。
【００４４】
また、基体接合部23は、平板材の上方側及び下方側にボルト貫通孔25を左右方向に複数並設状態（図面では上下夫々５箇所）に形成して構成すると共に、この基体接合部23を収納カゴ取付け基体22の一側面の左右部に設けている。
【００４５】
また、ボルト貫通孔25は、横方向に長さを有する長孔に形成すると共に、上方側と下方側のボルト貫通孔25の上下間隔幅は前バンパー連結部14のボルト貫通孔17の上下間隔幅と同等の間隔としている。
【００４６】
また、収納カゴ連結部支持部24は、収納カゴ取付け基体22の左右両端部の底面に他側面側に突出状態に設け、収納カゴ連結部支持部24側面に収納カゴ連結部９を軸着するための支持部側回転軸貫通孔26と、後述する係止ピンを挿入する支持部側係止ピン貫通孔27とを、この収納カゴ連結部支持部24の突出長さ方向に間隔を置いて並設状態に設けている。
【００４７】
このように収納カゴ取付け部４を構成したので、前バンパー連結部14を二体に分け、前バンパー側連結部20に縦方向に長さを有するボルト貫通孔19を上下方向に複数並設したことで上下左右の位置合わせが容易にできるようになり、様々な寸法幅の前バンパー取付け部３に設けられた螺子孔に対して、容易に前バンパー側連結部20を取付けることができ、更に、前バンパー側連結部20に収納カゴ取付け基体22を取付ける際に、前バンパー連結部14である第一前バンパー連結部15と第二前バンパー連結部16の配置幅が変化しても、これらのいずれかのボルト貫通孔17と基体接合部23のいずれかのボルト貫通孔25が貫通状態となり、前バンパー連結部14と基体接合部23を常に上方側及び下方側の左右の４箇所でボルト固定可能となるので、様々なトラクター１に収納カゴ取付け部４を確実に取付けることが容易に可能となる。
【００４８】
従って、本実施例では、まず、トタクター１の前方の前バンパー部２を前バンパー取付け部３より取外し、そこに、前バンパー連結部14を取付け、この前バンパー連結部14に収納カゴ取付け基体22に設けた基体接続部23のボルト貫通孔25を前バンパー連結部14のボルト貫通孔17と上方側及び下方側の左右の４箇所が貫通状態となるように位置を合わせてボルトで締め付け固定し、トラクター１の前バンパー取付け部３に収納カゴ取付け部４を設けた状態とする。
【００４９】
また、この収納カゴ取付け部４への収納カゴ部８の取付け構造は、収納カゴ取付け部４に収納カゴ連結部９を設け、この収納カゴ連結部９に収納カゴ部８を取付ける構造としている。
【００５０】
具体的には、収納カゴ取付け部４の左右の収納カゴ連結部支持部24に収納カゴ部８を支持する棒状の支持腕を収納カゴ連結部９として二体突設し、この二体の収納カゴ連結部９に収納カゴ部８を上方より載置し連結する構成としている。
【００５１】
更に説明すると、収納カゴ連結部９は、収納カゴ連結部支持部24より稍大きい内部が中空の角型管材で形成しており、この収納カゴ連結部９の基端部10が収納カゴ連結部支持部24に被嵌状態に取付けられるように基端部10を加工形成し、収納カゴ連結部９が収納カゴ連結部支持部24に被嵌している部分において、収納カゴ連結部支持部24の支持部側回転軸貫通孔26と支持部側係止ピン貫通孔27に夫々貫通状態となるよう収納カゴ連結部９の側面に連結部側回転軸貫通孔28と連結部側係止ピン貫通孔29を形成し、更に、後述する収納カゴ部８を係止する連結部側収納カゴ係止ピン貫通孔30を収納カゴ連結部９の側面に２箇所形成している。
【００５２】
このように形成した収納カゴ連結部９を、連結部側回転軸貫通孔28と収納カゴ取付け部４に設けた収納カゴ連結部支持部24の支持部側回転軸貫通孔26とが貫通状態になるように収納カゴ連結部９を被嵌し、この貫通孔26・28に回転軸ピンを挿入し、収納カゴ連結部９を回動自在に取付ける。
【００５３】
また、収納カゴ連結部９を上述のように形成し収納カゴ取付け部４に取付けたことにより、容易に収納カゴ部８を上方より載置することができ、更に、この収納カゴ連結部９は、基端部10を支点に上方へ回動自在に作動可能なので、収納カゴ部８を取付ける場合は、水平方向に突出した状態とし、また、収納カゴ部８を取外した状態で、更に、収納カゴ連結部９の突出状態が邪魔な場合は、垂直方向に退避収納可能となる。
【００５４】
更に詳しく説明すると、この収納カゴ連結部９を水平方向に突出した状態にして、収納カゴ部８を取付けた際に、この収納カゴ連結部９が上方に動かないように連結部側係止ピン貫通孔29と支持部側係止ピン貫通孔27を貫通状態にし、係止ピンを挿入し、この係止ピンにピン止めを挿入し係止ピンが抜けないようにし、収納カゴ連結部９を水平状態に固定することができる。
【００５５】
また、収納カゴ連結部９を垂直方向に退避収納状態にした場合は、連結部側係止ピン貫通孔29に係止ピンを挿入することで、収納カゴ連結部９が水平方向に倒れる作用が生じても、この係止ピンが収納カゴ連結部支持部24の上面と干渉し水平方向に倒れることが無いので、退避収納状態を保つことができる。
【００５６】
従って、収納カゴが不要で収納カゴ部８を取外した場合、収納カゴ取付け部４を取外すことなく、収納カゴ連結部９を退避収納位置に移動することで、トラクター１前方の突出状態を解消でき、また、取外した収納カゴ部８を再度取付ける場合も退避収納した収納カゴ連結部９を水平状態にし、その上に収納カゴ部８を取付けるだけで容易に取付けられることとなる。
【００５７】
また、収納カゴ部８は、長方形の金属フレームを折曲し、側面視コ字形状に形成し、上方開口型の箱形状となるように底側及び前後左右側に水平方向に桟材32を複数架設し底面及び前後左右側面を形成し、更に、この底面の左右両端部に収納カゴ連結部９に被嵌するカゴ部側被嵌部31を設けて形成している。
【００５８】
具体的には、収納カゴ部８は、土嚢袋11を横にして収納でき、更に、この土嚢袋11が横置きの状態で複数積載可能な高さを有する大きさに形成している。
【００５９】
このように収納カゴ部８を土嚢袋11を複数収納できる大きさに設定したことで、トラクター１が後方に農耕用作業機を取付け、バランス調整用のウエイトが必要となったときに、この収納カゴ部８に土嚢袋11を収納することで、トラクター１の前方が重くなり、後方に移動した重心を元の状態にもどすバランス調整用のウエイトの代わりとなると共に収納数変更も容易に行え、バランスの調整も容易に行えることとなる。
【００６０】
尚、本実施例では、ウエイト代わりの重量物に土嚢袋11を使用しているが、収納カゴ部８に収納若しくは載置可能な重量物（例えば、水を入れたポリタンクやブロックなど）であれば、適宜採用し得るものである。
【００６１】
また、この収納カゴ部８は、前後上端部12の前後架設杆の高さよりも、左右上端部７の左右架設杆の高さが低くなるように桟材32を架設し、更に、この前後左右側面に架設した桟材32に、ロープやゴムバンドを掛け止めるための係止フック部13を複数設け、この係止フック部13は前後に掛け止めるロープ若しくはゴムバンドと左右に掛け止めるロープ若しくはゴムバンドを共通で使用可能とするために、左右一方の係止フック部13を一段上方に設けて、前後の架設距離と左右の架設距離を略同等となるように形成している。
【００６２】
また、底面の左右両端部に設けたカゴ部側被嵌部31は、金属板材を断面コ字形状に折曲し、左右側面に収納カゴ連結部９に形成した連結部側収納カゴ係止ピン貫通孔30と貫通状態となり得るカゴ部側収納カゴ係止ピン貫通孔33を形成し、開口面が下方に向いた状態で収納カゴ部８底面に設けている。
【００６３】
この収納カゴ部８底面に設けた左右のカゴ部側被嵌部31を、収納カゴ取付け部４に突設した二体の収納カゴ連結部９の上方より収納カゴ連結部９に設けた連結部側収納カゴ係止ピン貫通孔30とカゴ部側収納カゴ係止ピン貫通孔33が貫通状態となる位置に合わせて被嵌係止し、この貫通孔にカゴ係止ピン34を挿入し、収納カゴ部８を収納カゴ連結部に固定することで収納カゴ取付け部４と一体化し、トラクター用収納カゴとなる。
【００６４】
このように収納カゴ部８を形成し、トラクター用収納カゴとしてトラクターに取付けたことにより、左右上端部７の左右架設杆間にアユミ板のような横長物６を載置し搬送する場合に、前後上端部12がアユミ板を前後係止状態にするので、収納カゴ部８から落ちにくくなり、また、更に、搬送物５を収納カゴ部８よりはみ出して上方に積み上げ状態で搬送する場合に、この係止フック部13にゴムバンドを引っ掛け、搬送物５を上方から押さえ込むように架け止め固定することが容易に可能となり、バランス調整用のウエイトして土嚢袋11を収納した状態でも、この土嚢袋11の上に搬送物５を載置した状態で搬送することができることとなる。
【００６５】
また、汚れた搬送物５は、そのまま収納カゴ部８に入れても良いが、収納カゴ部８にビニール容体35を配置し、このビニール容体35内に長靴などの汚れた搬送物５を収納して搬送することで収納カゴ部８を汚すことが無く、このビニール容体35のみを収納カゴ部８より取外し洗浄できることとなる。
【００６６】
尚、本実施例では、ビニール容体35を使用しているが、プラスチック製の箱を配置しても良いし、ビニールシートを収納カゴ部８内に敷いても良い。
【００６７】
尚、本発明は、本実施例に限られるものではなく、各構成要件の具体的構成は適宜設計し得るものである。
【符号の説明】
【００６８】
１  トラクター
２  バンパー部
３  バンパー取付け部
４  収納カゴ取付け部
５  搬送物
６  横長物
７  左右上端部
８  収納カゴ部
９  収納カゴ連結部
10  基端部
11  土嚢袋
12  前後上端部
13  係止フック部
【図１】
2010280299.tif 000003
【図２】
2010280299.tif 000004
【図３】
2010280299.tif 000005
【図４】
2010280299.tif 000006
【図５】
2010280299.tif 000007
【図６】
2010280299.tif 000008
【図７】
2010280299.tif 000009
【図８】
2010280299.tif 000010
【図９】
2010280299.tif 000011
【図１０】
2010280299.tif 000012
【図１１】
2010280299.tif 000013